(57)【要約】      （修正有）【課題】購入を目的とせず、商品の閲覧等のみを目的としているユーザに購買意欲を惹起させる情報を提供するオブジェクトプログラム等を提供する。【解決手段】Ｗｅｂページと、前記Ｗｅｂページ上を変位させるオブジェクトとを表示部に表示させるコンピュータに、前記Ｗｅｂページ上に表示されるテキストデータを取得するテキスト取得ステップと、前記取得したテキストデータが前記Ｗｅｂページで占有する領域を文字領域として特定する文字領域特定ステップと、前記オブジェクトを前記文字領域に応じて、当該Ｗｅｂページ上を変位させる変位ステップと、前記取得したテキストデータを前記オブジェクトの変位に応じて前記Ｗｅｂページに表示する表示ステップを実行させる。【選択図】図１
2011154661.tif 000002
【特許請求の範囲】
【請求項１】
Ｗｅｂページと、前記Ｗｅｂページ上を変位させるオブジェクトとを表示部に表示させるコンピュータに、
前記Ｗｅｂページ上に表示されるテキストデータを取得するテキスト取得ステップと、
前記取得したテキストデータが前記Ｗｅｂページで占有する領域を文字領域として特定する文字領域特定ステップと、
前記オブジェクトを前記文字領域に応じて、当該Ｗｅｂページ上を変位させる変位ステップと、
前記取得したテキストデータを前記オブジェクトの変位に応じて前記Ｗｅｂページに表示する表示ステップと、
を実行させるオブジェクトプログラム。
【請求項２】
請求項１に記載のオブジェクトプログラムであって、
前記表示ステップは、前記取得したテキストデータを分割し、分割したテキストデータを前記オブジェクトの変位に応じて前記Ｗｅｂページ上に表示させることを特徴とするオブジェクトプログラム。
【請求項３】
請求項１又は２に記載のオブジェクトプログラムであって、
前記テキスト取得ステップは、前記Ｗｅｂページ上の商品画像に対応付けられたテキストデータを取得し、
前記表示ステップは、前記取得したテキストデータを前記オブジェクトの変位に応じて前記Ｗｅｂページ上に表示させることを特徴とするオブジェクトプログラム。
【請求項４】
請求項１乃至３の何れか１項に記載のオブジェクトプログラムであって、
前記表示ステップは、所定の店舗で開催されるキャンペーン情報をテキストデータとして、前記オブジェクトの変位に応じて前記Ｗｅｂページに表示することを特徴とするオブジェクトプログラム。
【請求項５】
請求項１乃至４の何れか１項に記載のオブジェクトプログラムであって、
前記取得したテキストデータを音声により出力する音声出力ステップを更に実行させることを特徴とするオブジェクトプログラム。
【請求項６】
請求項１乃至５の何れか１項に記載のオブジェクトプログラムであって、
前記表示ステップは、前記テキスト取得ステップが所定のテキストデータを取得した場合に、前記オブジェクトの変位速度を変化させることを特徴とするオブジェクトプログラム。
【請求項７】
Ｗｅｂページと、前記Ｗｅｂページ上を変位させるオブジェクトとを表示部に表示する端末装置であって、
前記Ｗｅｂページ上に表示されるテキストデータを取得するテキスト取得手段と、
前記取得したテキストデータが前記Ｗｅｂページで占有する領域を文字領域として特定する文字領域特定手段と、
前記オブジェクトを前記文字領域に応じて、当該Ｗｅｂページ上を変位させる変位手段と、
前記取得したテキストデータを前記オブジェクトの変位に応じて前記Ｗｅｂページに表示する表示手段と、
を備えることを特徴とする端末装置。
【発明の詳細な説明】
【技術分野】
【０００１】
本発明は、インターネット等のネットワークを介して行われる電子商取引の技術分野に属し、より詳しくは、ユーザに購買意欲を惹起させる情報を提供するサーバ装置等の技術分野に関する。
【背景技術】
【０００２】
インターネット等のネットワークを介して行われる電子商取引では、ユーザに購買意欲を惹起させるために、様々な情報が提供されている。
【０００３】
例えば、上記電子商取引を採用する店舗は、当該店舗に利用登録をした会員に対して、当該店舗で取り扱う商品に関する情報（例えば、当該商品を特別に割り引いた価格で提供する事等の特売情報等）を、当該会員に対して、Ｗｅｂページ上に提示したり、当該情報を電子メール等により送信している。
【０００４】
また、特許文献１では、会員登録されたユーザの趣味や趣向に応じて、より高く合致した多様性商品を提案すべく、当該会員の商品の購入履歴に応じて、他の会員の評価の高い商品に関する情報を提供する技術が開示されている。
【０００５】
また、特許文献２では、商品属性（携帯性や使用性）、知識源情報（アンケート結果又は、Ｗｅｂページ上で提供される記述文（商品評価記事等）から取得した情報等）に基いて商品をレコメンドする技術が開示されている。
【先行技術文献】
【特許文献】
【０００６】
【特許文献１】特開２００２−３３４２５７号公報
【特許文献２】特開２００５−２８４４２４号公報
【発明の概要】
【発明が解決しようとする課題】
【０００７】
しかしながら、上述した技術は、会員登録されたユーザに対して、該ユーザが購入を望む商品に関する情報を提供するものである。従って、例えば、商品購入を目的とせず、ネットサーフィン等を行っているユーザに対して、新たに購買意欲を惹起させようとするものではない。
【０００８】
本願発明は、以上の問題等に鑑みてなされたものであり、購入を目的とせず、商品の閲覧等のみを目的としているユーザに対して購買意欲を惹起させる情報を提供するオブジェクトプログラム及び端末装置を提供することを目的とする。
【課題を解決するための手段】
【０００９】
上記課題を解決するために、請求項１に記載の発明は、Ｗｅｂページと、前記Ｗｅｂページ上を変位させるオブジェクトとを表示部に表示させるコンピュータに、前記Ｗｅｂページ上に表示されるテキストデータを取得するテキスト取得ステップと、前記取得したテキストデータが前記Ｗｅｂページで占有する領域を文字領域として特定する文字領域特定ステップと、前記オブジェクトを前記文字領域に応じて、当該Ｗｅｂページ上を変位させる変位ステップと、前記取得したテキストデータを前記オブジェクトの変位に応じて前記Ｗｅｂページに表示する表示ステップと、を実行させることを特徴とする。
【００１０】
従って、購入を目的とせず、商品の閲覧等のみを目的としているユーザに対して、新たに購買意欲を惹起させることができる。
【００１１】
請求項２に記載の発明は、請求項１に記載のオブジェクトプログラムであって、前記表示ステップは、前記取得したテキストデータを分割し、分割したテキストデータを前記オブジェクトの変位に応じて前記Ｗｅｂページ上に表示させることを特徴とする。
【００１２】
請求項３に記載の発明は、請求項１又は２に記載のオブジェクトプログラムであって、前記テキスト取得ステップは、前記Ｗｅｂページ上の商品画像に対応付けられたテキストデータを取得し、前記表示ステップは、前記取得したテキストデータを前記オブジェクトの変位に応じて前記Ｗｅｂページ上に表示させることを特徴とする。
【００１３】
請求項４に記載の発明は、請求項１乃至３の何れか１項に記載のオブジェクトプログラムであって、前記表示ステップは、所定の店舗で開催されるキャンペーン情報をテキストデータとして、前記オブジェクトの変位に応じて前記Ｗｅｂページに表示することを特徴とする。
【００１４】
請求項５に記載の発明は、請求項１乃至４の何れか１項に記載のオブジェクトプログラムであって、前記取得したテキストデータを音声により出力する音声出力ステップを更に実行させることを特徴とする。
【００１５】
請求項６に記載の発明は、請求項１乃至５の何れか１項に記載のオブジェクトプログラムであって、前記表示ステップは、前記テキスト取得ステップが所定のテキストデータを取得した場合に、前記オブジェクトの変位速度を変化させることを特徴とする。
【００１６】
請求項７に記載の発明は、Ｗｅｂページと、前記Ｗｅｂページ上を変位させるオブジェクトとを表示部に表示する端末装置であって、前記Ｗｅｂページ上に表示されるテキストデータを取得するテキスト取得手段と、前記取得したテキストデータが前記Ｗｅｂページで占有する領域を文字領域として特定する文字領域特定手段と、前記オブジェクトを前記文字領域に応じて、当該Ｗｅｂページ上を変位させる変位手段と、前記取得したテキストデータを前記オブジェクトの変位に応じて前記Ｗｅｂページに表示する表示手段と、を備えることを特徴とする。
【発明の効果】
【００１７】
本発明によれば、購入を目的とせず、商品の閲覧等のみを目的としているユーザに対して、新たに購買意欲を惹起させることができる。
【図面の簡単な説明】
【００１８】
【図１】本実施形態に係る情報提供システムＳの概要構成の一例を示す図である。
【図２】本実施形態に係る情報提供サーバ１の概要構成の一例を示すブロック図である。
【図３】ユーザ端末２−ｋの概要構成例を示すブロック図である。
【図４】本実施形態におけるユーザ端末２−ｋのリクエストに応じた情報提供システムＳの動作を示すシーケンス図である。
【図５】表示部２２のディスプレイ上に表れるＷｅｂページを示す図である。
【図６】ヒトケのＸ軸方向の変位の一例を示す概要図である。
【図７】ヒトケのＹ軸方向の変位の一例を示す概要図である。
【図８】取得したテキストデータの分割態様を示す概念図である。
【図９】分割したテキストデータをヒトケの各表示態様に対応付けて表示させた場合の模式図である。
【発明を実施するための形態】
【００１９】
以下、図面を参照して本発明の実施形態について説明する。なお、以下に説明する実施の形態は、情報提供システムに対して本発明を適用した場合の実施形態である。
【００２０】
まず、本発明の一実施形態に係る情報提供システムＳの構成及び概要機能について、図１を用いて説明する。
【００２１】
図１は、本実施形態に係る情報提供システムＳの概要構成の一例を示す図である。
【００２２】
図１に示すように、情報提供システムＳは、情報提供サーバ１（サーバ装置の一例）と、複数のユーザ端末２−ｋ（ｋ＝１、２〜ｎ）（端末装置の一例。以下、「ユーザ端末２−ｋ」とする。）と、を含んで構成されている。
【００２３】
情報提供サーバ１とユーザ端末２−ｋは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２４】
図１の情報提供サーバ１は、インターネット上で、各種店舗とユーザが商品等の商取引を行うサービス（例えば、仮想商店街）を提供するＷｅｂサーバである。この情報提供サーバ１は、ユーザ端末２−ｋからのＨＴＴＰ（Hyper Text Transfer Protocol）リクエストに応じてＷｅｂページをユーザ端末２−ｋに配信する。そして、ユーザ端末２−ｋは、Ｗｅｂブラウザにより、例えば、受信されたＷｅｂページをディスプレイ上に表れたウインドウ画面内に表示する。こうして表示されたＷｅｂページ上には、例えば、店舗サイトで取扱われる商品に関する情報である商品情報や当該商品を購入するためのユーザインターフェース等が含まれたＷｅｂページ等（以下、特に指定がない限り「Ｗｅｂページ」という。）が表示される。
【００２５】
更に、本実施形態におけるＷｅｂページには、当該Ｗｅｂページ上を変位させるオブジェクトの一例としてのキャラクタと、当該Ｗｅｂページ上に表示されるテキストデータを取得し、前記取得したテキストデータが前記Ｗｅｂページで占有する領域を文字領域として特定し、当該キャラクタを当該文字領域に応じてＷｅｂページ上を変位させ、当該取得したテキストデータを前記キャラクタの変位に応じて当該Ｗｅｂページ上へ表示させるスクリプトが埋め込まれている。このスクリプトは、例えば公知のＪＡＶＡ（登録商標）又はＣＧＩ（Common Gateway Interface）等によって記述されているがこれに限定されることはなく、任意に選択することができる。またこれらのスクリプトの詳細については、公知技術であるため詳しい説明は省略する。
【００２６】
そして、ユーザ端末２−ｋのユーザは、例えばＷｅｂページに表示されるユーザインターフェースを用いて、店舗で取扱われる商品を購入することができるようになっている。
【００２７】
なお、図１の例では、説明の便宜上、一つの情報提供サーバ１が示されているが、多数存在するようにしてもよい。また、本実施形態において、各出店者は複数の店舗（例えば、支店）を出店できるようになっている。また、ユーザ端末２−ｋは、利用者毎に多数存在する。
【００２８】
次に、本実施形態に係る情報提供サーバ１の構成及び機能について、図２を用いて説明する。
【００２９】
図２は、本実施形態に係る情報提供サーバ１の概要構成の一例を示すブロック図である。
【００３０】
図２に示すように、情報提供サーバ１は、通信部１１と、記憶部１２と、入出力インターフェース部１３と、システム制御部１４と、を備えている。そして、システム制御部１４と入出力インターフェース部１３とは、システムバス１５を介して接続されている。
【００３１】
通信部１１は、ネットワークＮＷに接続して、ユーザ端末２−ｋとの通信状態を制御するようになっている。
【００３２】
記憶部１２は、例えば、ハードディスクドライブ等により構成されており、オペレーティングシステム及びサーバプログラム等の各種プログラムを記憶する。なお、各種プログラムは、例えば、他のサーバ装置等からネットワークＮＷを介して取得されるようにしてもよいし、記録媒体に記録されてドライブ装置を介して読み込まれるようにしてもよい。
【００３３】
記憶部１２は、例えば、ハードディスクドライブ等により構成されており、オペレーティングシステム及び情報提供プログラム等の各種プログラムを記憶する。
【００３４】
また、記憶部１２には、ＷｅｂページＤＢ（データベース）１２１が構築されている。
このＷｅｂページＤＢ１２１には、ユーザ端末２−ｋに提供するＷｅｂページを構成するためのＨＴＭＬ（Hyper Text Markup Language）文書ファイル、ＸＭＬ（eXtensible Markup Language）文書ファイル、ＸＨＴＭＬ（Extensible HyperText Markup Language）文書ファイル、その他のプログラミング言語で記述されたファイル等が記憶されている。
【００３５】
更に本実施形態におけるＷｅｂページＤＢ１２１には、Ｗｅｂページに表示される画像と、テキストデータが対応付けて記憶されている。このテキストデータは、ＨＴＭＬ文章中の例えばaltタグ内に記述される。
【００３６】
このテキストデータは、店舗サイトの運営者の操作に基いて入力されるようにしてもよいし、他のユーザによって入力されるようにしてもよい。
【００３７】
なお、これらのデータベースは、データベースを管理するデータベースサーバに構築されるようにしてもよい。この場合、情報提供サーバ１は、上記データベースサーバ、その他のサーバから構成されるサーバ群として構成するようにしてもよい。
【００３８】
入出力インターフェース部１３は、通信部１１及び記憶部１２と、システム制御部１４との間のインターフェース処理を行うようになっている。
【００３９】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ユーザ端末２−ｋからのＨＴＴＰリクエストに応じて上述したＷｅｂページを生成し、ユーザ端末２−ｋに配信する。
【００４０】
次に、ユーザ端末２−ｋの構成及び機能について、図３を用いて説明する。
【００４１】
図３は、ユーザ端末２−ｋの概要構成例を示すブロック図である。
【００４２】
図３に示すように、ユーザ端末２−ｋは、操作部２１と、表示部２２（本願の表示部及び音声出力部の一例）と、通信部２３と、ドライブ部２４と、記憶部２５と、入出力インターフェース部２６と、システム制御部２７（本願のテキスト取得手段、文字領域特定手段及び表示手段の一例）と、を備えている。そして、システム制御部２７と入出力インターフェース部２６とは、システムバス２８を介して接続されている。ユーザ端末２−ｋとしては、例えば、パーソナルコンピュータ、ＰＤＡ（Personal Digital Assistant）、又は携帯電話機等を適用できる。
【００４３】
操作部２１は、例えば、キーボード及びマウス等を備える。
【００４４】
表示部２２は、Ｗｅｂページ等を表示するためのディスプレイを備える。また表示部２２には、図示しないスピーカを備えており、システム制御部２７の制御の下、再生出力された音声データに対して増幅等の音声処理を施し、当該スピーカから出力される。この音声データとしては、上記Ｗｅｂページに組み込まれるＭＰ３ファイル等が適用されるがこれに限定されるものではない。
【００４５】
通信部２３は、ネットワークＮＷに接続して情報提供サーバ１等との通信状態を制御する。
【００４６】
ドライブ部２４は、例えば、ＣＤ（Compact Disc）、ＤＶＤ（Digital Versatile Disc）等のディスクＤＫ（記録媒体）からデータ等を読み出す一方、当該ディスクＤＫに対してデータ等を記録する。
【００４７】
記憶部２５は、例えば、ハードディスクドライブ等からなり、オペレーティングシステム（Ｏ／Ｓ）、Ｗｅｂブラウザプログラム等を記憶する。
【００４８】
システム制御部２７は、ＣＰＵ２７ａ，ＲＯＭ２７ｂ，及びＲＡＭ２７ｃ等を備える。そして、システム制御部２７は、オペレーティングシステム実行下でＷｅｂブラウザプログラムを実行することにより、Ｗｅｂブラウザに上述したＷｅｂページが表示される。
【００４９】
次に、本実施形態におけるユーザ端末２−ｋのリクエストに応じた情報提供サーバ１の動作について、図４を用いて説明する。
【００５０】
図４は、本実施形態におけるユーザ端末２−ｋのリクエストに応じた情報提供システムＳの動作を示すシーケンス図である。
【００５１】
図４に示すように、ユーザ端末２−ｋにおいて、Ｗｅｂブラウザが起動し、システム制御部２７から情報提供サーバ１にＨＴＴＰリクエストが送信されると（ステップＳ１）、システム制御部１４は、かかるリクエストに応じて、Ｗｅｂページを生成し（ステップＳ２）、当該Ｗｅｂページをユーザ端末２−ｋへ配信する（ステップＳ３）。
【００５２】
ユーザ端末２−ｋのシステム制御部２７は、取得したＷｅｂページを表示部２２のディスプレイ上に表れたウインドウ画面内に表示する（ステップＳ４）。
【００５３】
ここで、表示部２２のディスプレイ上に表れるＷｅｂページについて、図５を用いて説明する。
【００５４】
図５は、表示部２２のディスプレイ上に表れるＷｅｂページを示す図である。
【００５５】
図５に示すように、Ｗｅｂページ３１には、タイトル表示部３２と商品情報表示部３３等が表示されている。また、説明の便宜上、仮想座標軸３４を設け、Ｗｅｂページ３１に対して水平方向をＸ軸方向と、Ｗｅｂページ３１に対して鉛直方向をＹ軸方向と、それぞれ定義する。
【００５６】
タイトル表示部３２には、Ｗｅｂページ３１のタイトルと、上述したキャラクタの一例としてのヒトケ４１〜４６が表示されている。
【００５７】
Ｗｅｂページ３１のタイトルとして「追跡！行列の先の訳ありグルメ」が表示されている。かかるＷｅｂページ３１のタイトルは、上記店舗サイトで販売される商品について、要約表示される文章が表示されており、本実施形態における上記タイトルは、当該商品が定める販売規格（例えば、商品の形状、重さ等、販売できる商品の条件）を外れてしまった商品であるが、味覚上または衛生上問題ない商品が格安にて販売されていることを要約表示している。
【００５８】
ヒトケ４１〜４６は、上述したＷｅｂページ３１上を変位する人間を模したキャラクタである。
【００５９】
上述したように、上記ＨＴＭＬ文章中には、当該Ｗｅｂページ上に表示されるテキストデータを取得し、前記取得したテキストデータが前記Ｗｅｂページで占有する領域を文字領域として特定し、ヒトケを当該文字領域に応じてＷｅｂページ上を変位させるためのスクリプトが記述されている。
【００６０】
このスクリプトの実行によって、システム制御部２７は、Ｗｅｂページ３１のタイトルとしての「追跡！行列の先の訳ありグルメ」を、テキストデータとして取得する。そして、システム制御部２７は、取得したテキストデータである「追跡！行列の先の訳ありグルメ」が、Ｗｅｂページ３１で占有する領域を文字領域として特定する。そして、システム制御部２７は、ヒトケ４１〜４６を、当該文字領域の近傍に、Ｗｅｂページ３１上を変位可能に配置する。
【００６１】
なお、本実施形態における上記文字領域は、タイトル表示部３２と略同一としている。しかし、かかる文字領域は、任意に設定することが可能である。また、ヒトケが配置される位置は、上記文字領域の近傍に限られず任意に設定することができる。
【００６２】
次に、ヒトケの上記変位の一例について、図６及び図７を用いて説明する。
【００６３】
本実施形態における上記変位は、ヒトケが、Ｗｅｂページ３１上を歩行により移動する表示態様を示しながら、当該ヒトケが表示されている当該Ｗｅｂページ上の座標値を変更させるようになっている。
【００６４】
図６は、ヒトケのＸ軸方向の変位の一例を示す概要図である。
【００６５】
図６に示すように、ヒトケ６１のＸ軸方向の変位の様子は、Ｘ軸方向へ（イ）〜（ニ）と歩行により移動する表示態様を示しながら、当該ヒトケが表示されている当該Ｗｅｂページ上の座標値をＸ軸方向へ変更させるようになっている。
【００６６】
図７は、ヒトケのＹ軸方向の変位の一例を示す概要図である。
【００６７】
図７に示すように、ヒトケ７１のＹ軸方向の変位の様子は、Ｙ軸方向へ（イ）〜（ニ）と歩行により移動する表示態様を示しながら、当該ヒトケが表示されている当該Ｗｅｂページ上の座標値をＹ軸方向へ変更させるようになっている。
【００６８】
なお、上述したヒトケの上記変位は、図６及び図７に示した例に限定されることなく、任意に変更することが可能である。
【００６９】
図５の説明に戻り、システム制御部２７は、ヒトケ４２には吹き出し表示部４２ａが、ヒトケ４２の変位に応じてＷｅｂページ３１に表示する。
【００７０】
上述したようにＷｅｂページを取得したシステム制御部２７は、Ｗｅｂページ上に表示されるテキストデータを取得し、当該取得したテキストデータをヒトケ４２の変位に応じてＷｅｂページ３１上へ表示させるようになっている。
【００７１】
本実施形態では、システム制御部２７は、吹き出し表示部４２ａによって、上記取得したテキストデータを表示するようになっている。
【００７２】
具体的に、吹き出し表示部４２ａには、システム制御部２７が取得したテキストデータとしての「追跡！行列の先の訳ありグルメ」のうち、「追跡」のみが吹き出し表示として表示されている。
【００７３】
また、システム制御部２７は、前記取得したテキストデータを分割し、分割したテキストデータを前記ヒトケの変位に応じてＷｅｂページ上に表示させるようにしてもよい。
【００７４】
ここで、上記分割したテキストデータを前記ヒトケの変位に応じてＷｅｂページ上に表示させる際のシステム制御部２７の動作について、図８及び図９を用いて説明する。
【００７５】
まず、システム制御部２７は、取得したテキストデータとしての「追跡！行列の先の訳ありグルメ」を分割する。かかる分割の方法は、任意に選択することができる。例えば、システム制御部２７は、公知のテキストマイニング処理により、品詞毎に上記テキストデータを分割するようにしてもよいし、当該テキストデータを構成する文字を、所定の文字数毎に区切って分割するようにしてもよい。
【００７６】
図８は、取得したテキストデータの分割態様を示す概念図である。
【００７７】
具体的には、図８に示すように、システム制御部２７は、取得したテキストデータ８１としての「追跡！行列の先の訳ありグルメ」を、「追跡！」（図８（イ））、「行列の先の」（図８（ロ））、「訳あり」（図８（ハ））、「グルメ」（図８（ニ））の４つに分割する。
【００７８】
次に、システム制御部２７は、分割したテキストデータをヒトケの変位に応じてＷｅｂページ３１上に表示させる。具体的には、システム制御部２７は、上記分割したテキストデータをヒトケの各表示態様に対応付けて表示する。
【００７９】
図９は、分割したテキストデータをヒトケの各表示態様に対応付けて表示させた場合の模式図である。
【００８０】
図９に示す図は、図６と同様に、ヒトケが、Ｗｅｂページ３１上を歩行により移動する表示態様を示している。即ち、図９では、ヒトケが、Ｘ軸方向へ（イ）〜（ニ）と歩行により移動する表示態様が示されている。
【００８１】
具体的には、システム制御部２７は、ヒトケを図９（イ）に示す表示態様に変位させる際には、「追跡！」を併せて表示する。次に、システム制御部２７は、ヒトケを図９（ロ）に示す表示態様に変位させる際には、「行列の先の」を併せて表示する。次に、システム制御部２７は、ヒトケを図９（ハ）に示す表示態様に変位させる際には、「訳あり」を併せて表示する。そして、システム制御部２７は、ヒトケを図９（ニ）に示す表示態様に変位させる際には、「グルメ」を併せて表示する。
【００８２】
上記図９（イ）〜（ニ）の表示態様を示すことにより、Ｗｅｂページを閲覧するユーザに、ヒトケが歩きながら一つのまとまりある文章を発言している表示態様を示すことができる。
【００８３】
なお、上記表示態様はこれに限定されることなく任意に設定することが可能である。例えば、システム制御部２７は、取得したテキストデータの一部または全部を、音声により出力するようにしてもよい。
【００８４】
図５の説明に戻り、商品情報表示部３３には、上記商品の画像５１、５４、５５と、ヒトケ５１〜５３及びヒトケ５６等が表示されている。
【００８５】
また、ＷｅｂページＤＢ１２１には、商品の画像５１とテキストデータとしての「見た目難あり」が対応付けて記憶されており、Ｗｅｂページ３１のＨＴＭＬ文章中の例えばaltタグ内に記述されている。このaltタグの命令を受けたシステム制御部２７は、吹き出し表示部５２ａに、「見た目難あり」とのテキストデータを表示させる。
【００８６】
この商品の画像５１に対応付けられるテキストデータの内容は、例えば、商品の画像５１が示す商品の属性を示している。具体的には、商品の画像５１が示す商品が、形の異なる不揃いな商品であった場合には、見た目が悪い商品であると評価されてしまう。
【００８７】
かかる商品の属性を示すべく、商品の画像５１の属性として、「見た目難あり」とのテキストデータが商品の画像５１と対応付けられて、記憶されている。
【００８８】
このようにして、吹き出し表示部５２ａを見たユーザに、吹き出し表示部５２ａに表示されるテキストデータと対応付けられた商品の画像５１が示す商品に対して、新たに購買意欲を惹起させることができる。
【００８９】
また、システム制御部２７は、テキストデータを取得した場合に、ヒトケの変位速度を変化させるようにしてもよい。
【００９０】
具体的には、システム制御部２７は、ヒトケが、Ｗｅｂページ３１上を走行により移動する表示態様を示しながら、当該ヒトケが表示されている当該Ｗｅｂページ上の座標値を変更させるようにしてもよい。
【００９１】
さらに、システム制御部２７は、ヒトケを、Ｗｅｂページ３１に表示される特定の画像（例えば、商品の画像５１）の周囲を高速に回転させ、又は、一定時間経過後逆回転させるように表示してもよい。
【００９２】
これらの場合、例えば、Ｗｅｂページを閲覧するユーザに対して、変位速度が変化したヒトケを注目させ、更に当該ヒトケの周囲に表示される商品の画像に対しても併せて注目させることにより、ユーザに対して、当該画像が示す商品に対して新たに購買意欲を惹起させることができる。
【００９３】
また、Ｗｅｂページに表示される上記ヒトケの位置は、任意に選択することができる。具体的には、例えば、上記ヒトケは、店舗の運営者が特に売上の増加を望む商品の画像の周囲に、集中的に配置するようにしてもよい。
【００９４】
また、Ｗｅｂページに表示される上記ヒトケの配色は、任意に選択することができる。具体的には例えば、かかるＷｅｂページの背景色に対して、際立って目立つ配色（例えば、Ｗｅｂページの背景色が白であった場合に、ヒトケの配色を黒か赤等にする）にすることもできる。さらに、当該ヒトケの配色を、Ｗｅｂページが閲覧される時間に応じて変化させるようにしてもよい。
【００９５】
また、Ｗｅｂページに表示される上記ヒトケの表示態様を、現在の季節に応じて適宜変化させるようにしてもよい。具体的には、例えば、現在の季節が夏であった場合には、システム制御部２７は、上記ヒトケの表示態様を、ヒトケが虫取り網（夏を代表する物品の一例。その他、食物等でもよい）をもった表示態様に変化させるようにしてもよい。
【００９６】
また、Ｗｅｂページを閲覧しているユーザの数に応じて、ヒトケの数を増加させるようにしてもよい。具体的には、システム制御部１４は、情報提供サーバ１にアクセスするユーザの数をネットワークＮＳのトラフィックを調査することによって把握する。そして、システム制御部１４は、かかるユーザの数に応じてヒトケの数を増加させ、当該ヒトケが表示されるＷｅｂページをユーザ端末２−ｋへ配信するようにしてもよい。
【００９７】
また、吹き出し表示部５２ａには、商品画像５１に対応する商品説明文や、それ以外の情報を表示させてもよい。
【００９８】
具体的には、システム制御部２７は、商品画像５１に対応する商品説明文としての「訳あり不ぞろいでもメチャ甘！愛媛デコポンが感涙の特価」をテキストデータとして取得し、吹き出し表示部５２ａに表示させる。また、システム制御部２７は、当該取得したテキストデータを分割し、分割したテキストデータを吹き出し表示部５２ａに表示させるようにしてもよい。
【００９９】
その結果、テレビの通販番組において、商品紹介者が発言した言葉と同一の文言を、再度イラストや画像等を用いて視聴者に訴求するという方法をＷｅｂページにおいて簡単に実現することができる。
【０１００】
また、上記それ以外の情報としては、上記店舗サイトで開催されるキャンペーン情報（例えば、期間限定のセール情報等）、又は上記店舗サイトがユーザに対して購入を勧める商品を適用することもできる。
【０１０１】
この場合、これらの情報は、例えば、テキストデータとして予めＷｅｂページＤＢ１２１に登録されており、Ｗｅｂページに埋め込まれてシステム制御部２７へ配信される。そして、システム制御部２７は、所定のタイミングで当該情報をテキストデータとして取得し、吹き出し表示部５２ａに表示させるようになっている。
【０１０２】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１０３】
以上説明したように、上記実施形態によれば、オブジェクトプログラムは、Ｗｅｂページ３１と、Ｗｅｂページ３１上を変位させるヒトケを表示部２２に表示させるシステム制御部２７に、Ｗｅｂページ３１上に表示されるテキストデータを取得させ、前記取得したテキストデータが、Ｗｅｂページ３１で占有する領域を文字領域として特定し、ヒトケを前記文字領域に応じてＷｅｂページ３１を変位させ、前記取得したテキストデータを前記ヒトケの変位に応じてＷｅｂページ３１上へ表示させる。
【０１０４】
従って、購入を目的とせず、商品の閲覧等のみを目的としているユーザに対して、新たに購買意欲を惹起させることができる。また、Ｗｅｂページを興味のおもむくまま次々に表示して閲覧（例えば、ネットサーフィン）しているユーザに、新たな商品に対する購買意欲を惹起させようとすることができる。
【符号の説明】
【０１０５】
１            情報提供サーバ
２−ｋ        ユーザ端末
１１、２３    通信部
１２          記憶部
１３、２６    入出力インターフェース部
１４、２７    システム制御部
１５、２８    システムバス
２５          記憶部
２１          操作部
２２          表示部
２４          ドライブ部
ＮＷ          ネットワーク
Ｓ            情報提供システム
【図１】
2011154661.tif 000003
【図２】
2011154661.tif 000004
【図３】
2011154661.tif 000005
【図４】
2011154661.tif 000006
【図６】
2011154661.tif 000007
【図７】
2011154661.tif 000008
【図８】
2011154661.tif 000009
【図９】
2011154661.tif 000010
【図５】
2011154661.tif 000011